【手続補正書】
【提出日】平成19年3月29日(2007.3.29)
【手続補正１】
【補正対象書類名】特許請求の範囲
【補正対象項目名】全文
【補正方法】変更
【補正の内容】
【特許請求の範囲】
【請求項１】
式（Ｉ）及び（ＶIIIａ）：
【化１】
2006525397.tif 000001
［式中、
Ｕ6は１００個までの炭素原子を有し、そして場合により−Ｏ−、−Ｃ（Ｏ）−、−ＮＨ−及び−ＮＵ8−（ここでＵ8は水素、あるいは１００個までの炭素原子を有し、そして１個又は複数の−Ｏ−基を含有してもよく、そしてＯＨにより置換されていてもよい１価の、直鎖、環状又は分枝鎖の、飽和、不飽和又は芳香族の炭化水素基である）から選択される１個又は複数の基を含有してもよいか、あるいは、場合により１個又は複数のヒドロキシル基により置換されていてもよい、２価の、直鎖、環状又は分枝鎖の、飽和、不飽和又は芳香族炭化水素基であり、但し−ＮＨ−及び−ＮＵ8−はカルボニル及び／又はチオカルボニルの炭素原子に結合されることを条件とし、そして
Ｕ7は２０個までの炭化水素を有し、そして１個又は複数の−Ｏ−基を含有してもよく、そしてＯＨにより置換されていてもよい、１価の、直鎖、環状又は分枝鎖の、飽和、不飽和又は芳香族の炭化水素基であり、
但し、Ｕ7基は同一でも異なってもよく、そしてケイ素原子１個当たり少なくとも１個のＵ7基が−Ｏ−を介してケイ素原子に結合されることを条件とし、
ここで式（ＶIIIａ）の基は以下に定義される通りの単位Ｑの残基Ｒ1として含有され、
そして、該化合物は以下に定義される通りの単位Ｑ及びＶから選択される少なくとも３個の単位を含有することを特徴とし、
ここでＱはカルボニルの炭素原子を介してＶに結合されていない２−、３−及び／又は４価のアミノ及び／又はアンモニウム基であり、そしてＱは
−ＮＲ1−、
−Ｎ+Ｒ12、
場合により更なる置換基により置換されていてもよく、そして式：
【化２】
2006525397.tif 000002
を有する、飽和又は不飽和のジアミノ−官能性複素環、並びに更に、
式：
【化３】
2006525397.tif 000003
の芳香族の、場合により置換されていてもよいジアミノ−官能性複素環、
式：
【化４】
2006525397.tif 000004
の３価の基、
式：
【化５】
2006525397.tif 000005
の３価の基、又は
式
【化６】
2006525397.tif 000006
の４価の基
［式中、Ｒ1はそれぞれの場合に、水素又は１価の有機基である］、
からなる群から選択され、ここでＱはカルボニルの炭素原子に結合されておらず、
ここでＶは、１０００個までの炭素原子（ここで、場合により存在するポリオルガノシロキサン基の炭素原子は計算されていない）を有し、場合により、
−  −Ｏ−、
−  −Ｃ（Ｏ）−、
−  −Ｃ（Ｓ）−、
−  −ＮＲ2−［ここでＲ2は水素、３００個までの炭素原子を有し、−Ｏ−、−ＮＨ−、−Ｃ（Ｏ）−及び−Ｃ（Ｓ）−から選択される１個又は複数の基を含有してもよく、そして場合によりヒドロキシル基、好ましくは１個又は複数の窒素原子を含有する、場合により置換されていてもよい複素環式基、ポリエーテル基、ポリエーテルエステル基、ポリオルガノシロキサニル基及び−Ｓｉ（ＯＲ）3-a（Ｒ’）a（ここでａ、Ｒ及びＲ’はそれぞれ前記に定義の通りである）からなる群から選択される１個又は複数の置換基により置換されていてもよい、１価の直鎖、環状又は分枝鎖の、飽和、不飽和又は芳香族炭化水素基であり、ここで、複数の−ＮＲ2−基が存在する時は、それらは同一でも異なってもよく、そして−ＮＲ2−基はカルボニル及び／又はチオカルボニルの炭素原子に結合することを条件とする］、
から選択される１個又は複数の基を含有してもよく、
【化７】
2006525397.tif 000007
−  ポリオルガノシロキサン基を包含してもよく、そして、
場合により、１個又は複数のヒドロキシル基及び／又は式（II）
−Ｓｉ（ＯＲ）3-a（Ｒ’）a      （II）
（式中、ａ、Ｒ及びＲ’はそれぞれ前記に定義の通りである）の基により置換されていてもよく、そして
少なくとも１個のＶ基が少なくとも１個のポリオルガノシロキサン基を含有することを条件とし、そしてここで相互に結合された多価のＱ基及びＶ基は１価の有機基により末端で飽和されている］
の群から選択される少なくとも１個の官能基を有することを特徴とする、アミノ−及び／又はアンモニウムポリシロキサン化合物及びそれらの塩。
【請求項２】
式（Ｉ）：
【化８】
2006525397.tif 000008
の少なくとも１個の官能基を有することを特徴とする、請求項１記載の化合物。
【請求項３】
ポリオルガノシロキサン基を含有する少なくとも２個の単位Ｖを有する、請求項１記載の化合物。
【請求項４】
少なくとも２個のＱ単位を有することを特徴とする、請求項１記載の化合物。
【請求項５】
少なくとも１個の第四級アンモニウム基を有することを特徴とする、請求項１記載の化合物。
【請求項６】
少なくとも２個の第四級アンモニウム基を有することを特徴とする、請求項１記載の化合物。
【請求項７】
ポリオルガノシロキサン基が式（III）
【化９】
2006525397.tif 000009
［式中、Ｒ3は同一でも異なってもよく、そして、Ｃ1〜Ｃ22−アルキル、フルオロ（Ｃ3−Ｃ10）アルキル、Ｃ6−Ｃ10−アリール及び−Ｗ−Ｓｉ（ＯＲ）3-a（Ｒ’）a（ここでＲ、Ｒ’及びａはそれぞれ前記に定義の通りであり、そしてＷは−Ｏ−あるいは、１００個までの炭素原子を有し、そして１個又は複数の−Ｃ（Ｏ）−、−Ｏ−、−ＮＨ−、−Ｓ−基を含有してもよく、そして場合によりヒドロキシルにより置換されてもよい２価の直鎖、環状又は分枝鎖の、飽和、不飽和又は芳香族の炭化水素基である）からなる群から選択され、そしてｎ＝０〜１０００である］
の２価の基であることを特徴とする、請求項１記載の化合物。
【請求項８】
式（ＩＶ）：
−［Ｑ−Ｖ］−            （ＩＶ）
［式中、Ｑ及びＶはそれぞれ前記に定義の通りであり、そしてＱ基及びＶ基は１価の有機基により末端で飽和されている］
の少なくとも１個の単位を含有することを特徴とする、請求項１〜７のいずれか１項に記載の化合物。
【請求項９】
少なくとも２個の式（ＩＶ）の反復単位を有することを特徴とする、請求項８記載の化合物。
【請求項１０】
式（Ｉａ）
【化１０】
2006525397.tif 000010
［式中、
Ｕ1は式：
【化１１】
2006525397.tif 000011
（ここで、
Ｕ2は式（Ｉ）の官能基の窒素原子に結合されており、そして
Ｕ2は１００個までの炭素原子を有し、そして１個又は複数の−Ｏ−基を含有してもよい、２価の直鎖、環状又は分枝鎖の、飽和、不飽和又は芳香族の炭化水素基であり、
Ｕ3は水素あるいは、１００個までの炭素原子を有し、そして１個又は複数の−Ｏ−基を含有してもよく、そしてＯＨにより置換されてもよく、−Ｗ−Ｓｉ（ＯＲ）3-a（Ｒ’）a［ここで、Ｒ、Ｒ’はそれぞれ前記に定義の通りであり、そしてａ＝０〜２であり、そしてＷは１００個までの炭素原子を有し、そして１個又は複数の−Ｃ（Ｏ）−、−Ｏ−、−ＮＨ−、−Ｓ−基を含んでもよく、そして場合によりヒドロキシルにより置換されていてもよい、２価の直鎖、環状又は分枝鎖の、飽和、不飽和又は芳香族の炭化水素基である］からなってもよい１価の直鎖、環状又は分枝鎖の、飽和、不飽和又は芳香族の炭化水素基であり、
Ｕ4及びＵ5はそれぞれ、１０００個までの炭素原子を有し、そして場合により、−Ｏ−、−Ｃ（Ｏ）−、
【化１２】
2006525397.tif 000012
、−ＮＲ2−（ここで、Ｒ2は前記に定義の通りである）から選択される１個又は複数の基を含有してもよく、そして場合により１個又は複数のヒドロキシル基により置換されていてもよい２価の直鎖、環状又は分枝鎖の、飽和、不飽和又は芳香族の炭化水素基であり、但し
【化１３】
2006525397.tif 000013
及び−ＮＲ2−基はカルボニルの炭素原子に結合されていることを条件とする）
の２価の基からなる群から選択される］
の少なくとも１個の官能基（Ｉ）を含有することを特徴とする、請求項１〜９のいずれか１項に記載の化合物。
【請求項１１】
式（III）
【化１４】
2006525397.tif 000014
の基を含有する少なくとも１個の単位Ｖを有することを特徴とする、請求項１〜１０のいずれか１項に記載の化合物。
【請求項１２】
その過程中、適当な場合に、単官能性の、好ましくは第三級のモノアミン又は連鎖成長の不可能な適当なモノアミン及び／又は、アミノ官能基との反応の可能な単官能性化合物を連鎖停止剤として添加することができ、そしてその過程中で次に、生成される生成物中に存在するあらゆるアミノ官能基をプロトン化又は四級化することができる、
ａ）ジアミン化合物及び／又は第一級もしくは第二級モノアミン化合物から選択される少なくとも１種のアミン化合物が、アミン化合物のアミノ官能基と反応することができる多官能性、好ましくは二官能性有機化合物と反応される（ここで前記の多官能性、好ましくは二官能性有機化合物の官能基に対する、前記のアミン化合物のアミノ官能基のモル比は約０．５〜２である）、あるいは
ｂ）少なくとも２モルの、ジアミン化合物（１）及び／又は第一級もしくは第二級モノアミン化合物（１）から選択されるアミン化合物（１）を、アミン化合物のアミノ官能基と反応することができる１モルの多官能性、好ましくは二官能性有機化合物（１）と反応させて、ジアミン化合物（２）（モノマー）を形成し、そして次にジアミン化合物（２）（モノマー）を、場合により更なるアミン化合物（２）の存在下で、ジアミン化合物（２）のアミノ官能基と反応することができる少なくとも１種の更なる多官能性、好ましくは二官能性有機化合物（２）と反応させる（ここで、反応の最終段階における、アミノ官能基と、アミノ官能基と反応することができる官能基の化学量論的比率は約１：１であり、そして有機化合物（１）及び（２）は同一でも相互に異なってもよい）、あるいは
ｃ）ジアミン化合物（１）及び／又は第一級もしくは第二級モノアミン化合物から選択されるアミン化合物を、アミン化合物のアミノ官能基と反応することができる多官能性、好ましくは二官能性有機化合物（１）と反応させて、ジアミン化合物（２）（アミノ−末端オリゴマー）を形成し（ここで、前記の多官能性、好ましくは二官能性有機化合物（１）の官能基に対する前記のアミン化合物のアミノ官能基のモル比は約１〜２である）、
次に、生成されたジアミン化合物（２）（アミノ−末端オリゴマー）をジアミン化合物のアミノ官能基と反応することができる少なくとも１種の多官能性、好ましくは二官能性有機化合物（２）と反応させる（ここで、反応の最終段階における、アミノ官能基と、アミノ官能基と反応することができる官能基の化学量論的比率は約１：１であり、そして有機化合物（１）及び（２）は同一でも異なってもよい）、あるいは
ｄ）ジアミン化合物及び／又は第一級もしくは第二級モノアミン化合物から選択されるアミン化合物（１）を、アミン化合物のアミノ官能基と反応することができる多官能性、好ましくは二官能性有機化合物（１）と反応させて、アミノ官能基と反応することができる多官能性、好ましくは二官能性有機化合物（２）（二官能性オリゴマー）を形成し（ここで、前記の多官能性、好ましくは二官能性有機化合物（１）の官能基に対する、前記のアミン化合物のアミノ官能基のモル比は約０．５〜１である）、
次に、有機化合物（２）（二官能性オリゴマー）を、場合により、アミノ官能基と反応することができる１種又は複数の多官能性、好ましくは二官能性有機化合物（３）の存在下で、ジアミン化合物及び／又は第一級もしくは第二級モノアミン化合物から選択される少なくとも１種のアミン化合物（２）と反応させる（ここで、反応の最終段階における、アミノ官能基と、アミノ官能基と反応することができる官能基の化学量論的比率は約１：１である）、
請求項１〜１１のいずれか１項に記載の、アミノ−及び／又はアンモニオポリシロキサン化合物の調製法。
【請求項１３】
式（Ｉ）の官能基の導入が、
ａ）少なくとも１モルのジアミン（１）と、式（Ｉ）の官能基を含んでなるジイソシアネートの反応により、式（Ｉ）の官能基を含んでなるモノマー、オリゴマー又はポリマージアミン（２）を形成すること、あるいは
ｂ）式（Ｉ）の官能基を含有する１モルのジイソシアネートと、イソシアネート基及びアミノ基と反応することができる、少なくとも１モルの多官能性、好ましくは二官能性有機化合物（１）との反応により、アミノ基と反応することができ、そして式（Ｉ）の基を含有する多官能性、好ましくは二官能性モノマー、オリゴマー又はポリマー有機化合物（２）を形成すること、あるいは
ｃ）式（Ｉ）の官能基を含有する１モルのジイソシアネートと、イソシアネート基と反応することができる少なくとも１モルの、多官能性、好ましくは二官能性有機化合物（１）との反応により、式（Ｉ）の官能基及び、イソシアネート基と反応することができる末端基を含有する多官能性、好ましくは二官能性有機モノマー、オリゴマー又はポリマー化合物（２）を形成すること、アミノ基と反応することができる多官能性、好ましくは二官能性モノマー、オリゴマー又はポリマー有機化合物（３）への前記の有機化合物（２）の転化、
並びに請求項１２の方法ａ）〜ｄ）における、式（Ｉ）の基を含有する、生成された化合物の使用、
を含んでなる、請求項１２記載の方法。
【請求項１４】
式（II）の官能基の導入が、ジアミン化合物及び／又は式（II）の単位を含有する第一級、第二級もしくは第三級モノアミン化合物から選択されるアミン化合物の反応並びに／あるいは式（II）の単位を含有する多官能性、好ましくは二官能性有機化合物の反応を含んでなる、請求項１２又は１３に記載の方法。
【請求項１５】
アミノ官能基と反応することができる多官能性、好ましくは二官能性化合物の官能基がエポキシ基及びハロアルキル基からなる群から選択される、請求項１２〜１４のいずれか１項に記載の方法。
【請求項１６】
少なくとも１種の、請求項１〜１５のいずれか１項に記載の化合物を含んでなる調合物。
【請求項１７】
水及び有機溶媒から選択される少なくとも１種の溶媒を含んでなる、請求項１６記載の調合物。
【請求項１８】
水性エマルジョンの形態の請求項１６又は１７に記載の調合物。
【請求項１９】
水性ミクロエマルジョンの形態の請求項１８に記載の調合物。
【請求項２０】
請求項１〜１１のいずれか１項に記載の少なくとも１種の化合物を含んでなる洗濯洗剤調合物。
【請求項２１】
非イオノゲン（ｎｏｎｉｏｎｏｇｅｎｉｃ）及び／又はアニオン界面活性剤を含んでなる、請求項２０に記載の洗濯洗剤調合物。
【請求項２２】
請求項１〜１１のいずれか１項に記載の少なくとも１種の化合物を含んでなる化粧品調合物。
【請求項２３】
天然又は合成繊維又は繊維様基材の湿式処理及び、適当な場合には請求項１〜１１のいずれか１項に記載の少なくとも１種の化合物及び請求項１７〜１９に記載の調合物による活性化を含んでなる、天然又は合成繊維又は繊維様基材の処理及び／又は仕上げ法。
【請求項２４】
請求項１〜１１のいずれか１項に記載の少なくとも１種の化合物で処理された天然又は合成繊維又は繊維様基材及びそれらから製造された製品。